(57)【要約】【課題】光照射によって空間全体の連続性や拡がり感を強調するのに適し、空間との調和を保って空間全体の美観を向上することができる間接照明器具を提供する。【解決手段】本発明にかかる間接照明器具１は、壁面２の前方側に離間して配置される前面パネル３と、この前面パネル３を壁面２と対面する状態で支持する支柱４と、前面パネル３の壁面側の平面上に配設される器具本体５とを備えている。そして、このとき、前面パネル３は壁面２の天井面８に近接した高さ位置に配置されていることが好ましく、また、前面パネル３はその下端部３ｃが壁面２に接近し、かつ、その上端部３ｂが壁面２から離間する傾斜状態として配置されていることが好ましい。【選択図】  図１
2004349165.tif 000002
【特許請求の範囲】
【請求項１】
壁面の前方側に離間して配置される前面パネルと、この前面パネルを前記壁面と対面する状態で支持する支柱と、前記前面パネルの壁面側の平面上に配設される器具本体とを備えていることを特徴とする間接照明器具。
【請求項２】
前記前面パネルは前記壁面の天井面に近接した高さ位置に配置されていることを特徴とする請求項１に記載の間接照明器具。
【請求項３】
前記前面パネルはその下端部が前記壁面に接近し、かつ、その上端部が前記壁面から離間する傾斜状態で配置されていることを特徴とする請求項１または請求項２に記載の間接照明器具。
【請求項４】
前記器具本体の具備する光源ランプは長尺形状を有し、前記支柱は前記前面パネルの側端部付近に配設されていることを特徴とする請求項１〜請求項３のいずれか１項に記載の間接照明器具。
【請求項５】
前記光源ランプは前記前面パネルの上端部から天井面側に向かって突出していることを特徴とする請求項１〜請求項４のいずれか１項に記載の間接照明器具。
【発明の詳細な説明】
【０００１】
【発明の属する技術分野】
本発明は間接照明器具にかかり、特には、壁面に取り付けて使用される間接照明器具の基本的な構造に関する。
【０００２】
【従来の技術】
従来から、オフィスビルや公共施設等におけるエントランスホールや廊下等の壁面に設置される間接照明器具の一例としては、特許文献１で開示され、図４で簡略化して示すようなものがある。すなわち、この間接照明器具５１は、光源ランプ５２を具備してなる器具本体５３と、この器具本体５３の光源ランプ５２に沿う一方側に配置されて光源ランプ５２からの光Ｌを被照射面に反射する第１の反射板５４とを備えている。
【０００３】
そして、光源ランプ５２の他方側に沿っては、光源ランプ５２からの光Ｌを第１の反射板５４に反射する第２の反射板５５が配置されており、第１の反射板５４は、被照射面に対して第２の反射板５５からの反射光Ｌをも反射している。また、この間接照明器具５１は、壁面５６の天井面５７に近接した高さ位置から前方側へ延出された棚状部５８上に配設されており、その結果、第１の反射板５４で反射された光Ｌは被照射面である天井面５７を照明することになっている。
【０００４】
なお、図示省略しているが、一般的な間接照明器具としては、光源ランプを具備した器具本体を壁面の天井面寄りの位置に対して直接的に配設し、かつ、光源ランプからの光を遮蔽する垂直状の前面パネルを器具本体の前方側に壁面と対面する状態で配置したものもある。
【０００５】
【特許文献１】
特開２０００−１６４００６号公報
【０００６】
【発明が解決しようとする課題】
ところで、前記従来の形態にかかる間接照明器具においては、つぎのような問題があった。まず、間接照明器具５１では器具本体５３の全体が棚状部５８に配設されており、また、一般的な間接照明器具でも器具本体が全体として壁面に配設されるため、棚状部５８や壁面における器具本体の配設面は平滑であることが必要となる。
【０００７】
そこで、器具本体５３等の具備した光源ランプ５２等が長尺形状を有する場合には、器具本体５３等も長尺形状となるため、その長尺形状に応じた範囲を全面的に平滑な状態としなければならない。しかしながら、かなり広い配設面の全面を平滑とすることは困難なのが実状である。そして、平滑でない配設面に対して器具本体５３等を配設した場合には、これら器具本体５３等と配設面との間に隙間が生じることがあり、美観を損なってしまう。
【０００８】
さらに、間接照明器具５１では天井面５７の照明が可能であるものの、天井面５７と連続している壁面を照明することができない。また、器具本体を壁面に配設し、かつ、前面パネルを器具本体の前方側に配置してなる構成の一般的な間接照明器具では、光源ランプが下方から直接的に見えることとなって美観が損なわれ、光照射を利用して空間全体の連続性や拡がり感を与えるという器具本来の使用目的が阻害されてしまう。
【０００９】
本発明はこれらの不都合に鑑みて創案されたものであり、光照射によって空間全体の連続性や拡がり感を強調するのに適し、空間との調和を保って空間全体の美観を向上することができる間接照明器具を提供することを目的としている。
【００１０】
【課題を解決するための手段】
第１の発明にかかる間接照明器具は、壁面の前方側に離間して配置される前面パネルと、この前面パネルを前記壁面と対面する状態で支持する支柱と、前記前面パネルの壁面側の平面上に配設される器具本体とを備えている。そして、第２の発明にかかる間接照明器具では、前記前面パネルが前記壁面の天井面に近接した高さ位置に配置されている。
【００１１】
また、第３の発明にかかる間接照明器具においては、その下端部が前記壁面に接近し、かつ、その上端部が前記壁面から離間する傾斜状態で前記前面パネルが配置されている。さらに、第４の発明にかかる間接照明器具では、前記器具本体の具備する光源ランプが長尺形状を有し、前記支柱が前記前面パネルの側端部付近に配設されている。さらにまた、第５の発明にかかる間接照明器具の前記ランプは、前記前面パネルの上端部から天井面側に向かって突出している。
【００１２】
【発明の実施の形態】
図１は本実施の形態にかかる間接照明器具の構造及び取付状態を簡略化して示す説明図、図２は間接照明器具の構造を拡大して示す側面図であり、図３は間接照明器具を左斜め上方から見た状態を示す外観斜視図である。なお、図１〜図３のそれぞれにおける符号１は、間接照明器具を示している。
【００１３】
本実施の形態にかかる間接照明器具１は、オフィスビルや公共施設等におけるエントランスホールや廊下等の壁面に設置されるものである。この間接照明器具１は、図１〜図３で示すように、壁面２の前方側に離間して配置される平板形状の前面パネル３と、この前面パネル３と壁面２とを互いに連結し、かつ、前面パネル３を壁面２とは対面する状態で支持する左右一対の支柱４と、前面パネル３の壁面側の平面上に配設される器具本体５とを備えている。
【００１４】
また、器具本体５は長尺形状を有する光源ランプ６を具備しており、この光源ランプ６はインバーター７等の制御機器を用いて安定的に制御される。そこで、この間接照明器具１が備えている支柱４のそれぞれは、前面パネル３の側端部３ａ付近に配設されている。なお、これら支柱４の一端部は前面パネル３と一体化され、あるいは、連結された構成のいずれであっても差し支えないが、各支柱４の他端部は連結用ボルト（図示省略）等を用いて壁面２と連結される。
【００１５】
すなわち、このような構成とされた間接照明器具１においては、これら支柱４の他端が壁面２と連結されるだけであるから、各支柱４の他端と接する壁面２上の取付スペースだけが平滑でありさえすればよく、光源ランプ６と同様の長尺形状を有する器具本体５が配設された前面パネル３と対面する壁面部分の全てが平滑である必要はない。従って、これらの支柱４と壁面２との間に隙間が生じることもなくなる。
【００１６】
さらに、間接照明器具１は、図１で示すように、壁面２における天井面８に近接した高さ位置、例えば、壁面２と天井面８とが交差して連続する角隅部（コーナー部）近くの高さ位置に配置されていることが好ましく、このような高さ位置である場合には、間接照明器具１の器具本体５が具備する光源ランプ６から照射され、かつ、前面パネル３の上端部３ｂ及び下端部３ｃを超えた光Ｌによって壁面２及び天井面８の双方共が同等に照明される。しかしながら、天井面８が通常よりも高い場合等にあっては、間接照明器具１を天井面８から離間した壁面２の所定の高さ位置に配置しておいてもよい。
【００１７】
そして、この間接照明器具１における前面パネル３は、その下端部３ｃが壁面２に接近し、その上端部３ｂが壁面２から離間する傾斜状態、つまり、斜め下方向きの傾斜状態として配置されている。このような構成であれば、図１で示すように、通行者９が下方側から間接照明器具１を見上げたとしても、光源ランプ６自体が通行者９の視野に入ることはなくなり、美観が損なわれることもない。なお、本発明の発明者が検討したところ、前面パネル３の下端部３ｃが壁面２から１００ｍｍ程度、また、その上端部３ｂが壁面２から１９０ｍｍ程度離間していれば、光源ランプ６が直接的には通行者９の視野に入らないことが確認されている。
【００１８】
さらにまた、図１及び図２で示すように、器具本体５の具備する光源ランプ６を前面パネル３の上端部３ｂから天井面８側に向かって突出させる、つまり、天井面８に近づく外側から２ｍｍ程度だけ突出させるようにしてもよい。このような構成とした場合には、光源ランプ６から照射された光Ｌが天井面８におけるより遠方にまで届くこととなり、光照射を利用して空間全体の連続性や拡がり感を与えやすくなる。
【００１９】
【発明の効果】
請求項１記載の間接照明器具では、壁面の前方側に離間して配置された前面パネルの壁面側の平面上に器具本体を配設しているので、間接照明器具が目立ち過ぎることがなくなり、空間との調和を保ちながら空間全体の美観を向上させることが可能になる。また、この前面パネルが壁面から離間しているので、間接照射用器具全体が壁面から浮き上がっているように見え、さらなる美観の向上を図ることができる。さらに、器具本体が配設された前面パネルを支柱でもって壁面に支持しているので、これら支柱の取付スペースが平滑でありさえすればよく、これらの支柱と壁面との間に隙間が生じることもなくなる。
【００２０】
請求項２記載の間接照明器具であれば、その前面パネルを壁面の天井面に近接した高さ位置に配置しているので、壁面及び天井面の双方を同時に照明することが可能となり、効率的な照明を行うことができる。そして、請求項３記載の間接照明器具においては、前面パネルを傾斜状態で配置しているので、その下方側から見上げた場合であっても光源ランプが見えることはなくなり、そのため、美観が損なわれる恐れもなくなる。
【００２１】
また、請求項４記載の間接照明器具では、光源ランプが光照射の良好な長尺形状を有し、かつ、支柱が前面パネルの側端部付近に配設されているので、平滑でない取付面に対しても間接照明器具を容易に設置することが可能となる。さらにまた、請求項５記載の間接照明器具においては、光源ランプが前面パネルの上端部から天井面側に向かって突出しているので、光源ランプから照射された光が天井面のより遠方まで届きやすくなる。その結果、光照射を利用して空間全体の連続性や拡がり感を与えやすくなり、空間との調和を保って空間全体の美観を向上することができる。
【図面の簡単な説明】
【図１】本実施の形態にかかる間接照明器具の構造及び取付状態を簡略化して示す説明図である。
【図２】本実施の形態にかかる間接照明器具の構造を拡大して示す側面図である。
【図３】本実施の形態にかかる間接照明器具を左斜め上方から見た状態を示す外観斜視図である。
【図４】従来の形態にかかる間接照明器具の構造及び取付状態を簡略化して示す説明図である。
【符号の説明】
１    間接照明器具
２    壁面
３    前面パネル
３ａ  側端部
３ｂ  上端部
３ｃ  下端部
４    支柱
５    器具本体
６    光源ランプ
８    天井面
【図１】
2004349165.tif 000003
【図２】
2004349165.tif 000004
【図３】
2004349165.tif 000005
【図４】
2004349165.tif 000006